(57)【特許請求の範囲】
【請求項１】
地中に構築する貯水槽の内部貯水空間を形成する貯水空間形成ブロックにおいて、
開口部を有する扁平構造部と、
内部が中空で基端側が開口され、基端部が上記扁平構造部の開口部内に配置された支柱部と、
上記支柱部の基端部と上記扁平構造部とを接続する複数の接続部とを備え、
上記接続部は、変位可能な湾曲部を有していることを特徴とする貯水空間形成ブロック。
【請求項２】
上記接続部は、上記湾曲部上に、上記扁平構造部に対して略垂直に設けられた変位可能な接続リブを更に有していることを特徴とする請求項１に記載の貯水空間形成ブロック。
【請求項３】
上記支柱部は、断面が多角形であり、
上記接続部は、上記支柱部の基端部の頂点位置と上記扁平構造部とを接続することを特徴とする請求項１又は請求項２に記載の貯水空間形成ブロック。
【請求項４】
上記支柱部は、断面が八角形であり、該支柱部の基端部の八つの頂点位置のうち、周方向に一つ置きの四つの頂点位置を、平面形状を矩形とした上記開口部の対角線上に位置させて、基端部が該開口部内に配置されていることを特徴とする請求項１−３の何れかに記載の貯水空間形成ブロック。
【発明の詳細な説明】
【技術分野】
【０００１】
本発明は、地中に構築する雨水貯水槽の内部貯水空間を形成するために、水平方向に縦横に隣接配置すると共に垂直方向に積層配置して用いる貯水空間形成ブロックに関する。
【背景技術】
【０００２】
従来より、地下に貯水槽（雨水貯留浸透施設）を設けて、降雨時に雨水を一時的に貯留し、この貯留した雨水を徐々に下水に流したり、周囲の地中に徐々に浸透させることにより、洪水の発生を抑制することが行われている。又、地下貯水槽に貯留した雨水を、防火用水や、花壇や畑の散水等に利用することも考えられている。
【０００３】
近年では、図８に示すように、地面１を掘り下げて平面形状矩形（正方形を含む）の凹部２を形成し、凹部２内にて、骨格となる樹脂製の貯水空間形成ブロック３を、水平方向に縦横に配列すると共に上下方向に多段に積層して直方体（立方体を含む）形状に組み立てて、その内部に貯水空間を形成し、その後、外周部に壁４を設けると共に上面に天板５を取り付け、更に、その周囲を、雨水の貯留や浸透の目的に応じて遮水シートや透水シートや保護シートを適宜選択或いは組み合わせて用いるシート材６で覆った後、上側から土を埋め戻すことにより、地下貯水槽１００を構築する。なお、２ａは、凹部２の底部に設けた平坦な基礎である。
【０００４】
この種の地下貯水槽１００を構築するために用いられる樹脂製の貯水空間形成ブロック（ユニット部材）３は、例えば、図９（Ａ）及び図９（Ｂ）に示すように、平面形状が矩形で上下方向に所要寸法立ち上がる枠状の縁部８と、その内側で、縁部８の矩形の各辺と平行な二方向に沿って配置された互いに交差する縦横のリブ９ａ及びリブ９ｂと、各リブ９ａとリブ９ｂによって囲まれた区画に形成された透口１０を備えた扁平なプレート状の基盤部７上に、基盤部７の上面側に突き出して上端部（天壁）が塞がり且つ基盤部７の下面側で開口する截頭円錐状の中空の突出部（支柱部）１１を、一つ又は所要の間隔をあけて複数設けた構成として、ブロック全体を樹脂により一体成型する。なお、図９（Ａ）及び図９（Ｂ）では、突出部１１を一つとした場合を示している（例えば、特許文献１参照）。
【０００５】
上記構成を有する貯水空間形成ブロック３を用いて図８に示すような地下貯水槽１００を構築する場合、貯水空間形成ブロック３を水平方向に縦横に配列して組み立てるときには、隣接する貯水空間形成ブロック３同士で、平面形状を矩形とする基盤部７の外周端面を互いに突き合せ、この状態で基盤部７同士の突き合せ部分を、図示しない連結手段（固定手段）により連結する。これにより、構築された地下貯水槽１００（図８参照）では、或る高さ位置の水平面内に、各貯水空間形成ブロック３の基盤部７が連続して配置されるようにして、地下貯水槽１００に対して周囲に存在する土より作用する土圧等による水平方向の荷重を、各貯水空間形成ブロック３の各基盤部７に作用する圧縮荷重、より具体的には、各基盤部７の各リブ９ａ及びリブ９ｂに対して長手方向に沿って作用する圧縮荷重として受けて支持することが出来る。
【０００６】
又、図８に示すような地下貯水槽１００を構築するために、貯水空間形成ブロック３を上下方向に多段に積層して配置するときには、最も下段の貯水空間形成ブロック３を、突出部１１が上向きとなる通常姿勢に配置すると共に、その上側に、上下を反転させた姿勢の別の貯水空間形成ブロック３を配置して、上下方向に対向配置される両者の突出部１１同士を突き合わせた状態で、突き合せ部分を図示しない連結手段（固定手段）を用いて連結する。更に、その真上に、上記と同様に通常姿勢と上下反転姿勢で突出部１１同士を付き合わせた状態で連結することにより上下に組み合わせた貯水空間形成ブロック３の組を、地下貯水槽１００に所望される高さ寸法に応じた段数で順次重ねて配置する。これにより、図８に示すように構築された地下貯水槽１００では、水平面内で縦横に配列された各貯水空間形成ブロック３の突出部１１の位置毎に、上下方向に積層配置されている各貯水空間形成ブロック３の突出部１１が上下に連続して配置されるようにして、地下貯水槽１００に対して天板５（図８参照）の上方より作用する埋め戻した部分に存在する土、及び、地下貯水槽１００の真上の地面に配置される物体の鉛直方向の荷重を、上下方向に連続配置された各貯水空間形成ブロック３の突出部１１の圧縮荷重として受けて支持することが出来る。
【０００７】
しかしながら、従来の貯水空間形成ブロック３は、突出部１１が、扁平な基盤部７上に直接的に設けられ、更に、内部が中空で下面側が開口されているので、図１０に示すように、基盤部７が土圧等による水平方向の荷重を受けると、突出部１１の基端部が内側に撓んで突出部１１の開口が変形してしまう。すると、従来の貯水空間形成ブロック３では、この変形した箇所が基点となって、座屈し易くなってしまう。
【先行技術文献】
【特許文献】
【０００８】
【特許文献１】特許第４０８４４３７号公報
【発明の概要】
【発明が解決しようとする課題】
【０００９】
本発明は、支柱部の開口が変形することを抑制して、支柱部が座屈することを防止し得る貯水空間形成ブロックを提供することを目的とする。
【課題を解決するための手段】
【００１０】
本発明に係る貯水空間形成ブロックは、地中に構築する貯水槽の内部貯水空間を形成するためのものである。具体的には、開口部を有する扁平構造部と、内部が中空で基端側が開口され、基端部が扁平構造部の開口部内に配置された支柱部と、支柱部の基端部と扁平構造部とを接続する複数の接続部とを備えている。そして、接続部は、変位可能な湾曲部を有している。
【００１１】
また、接続部は、湾曲部上に、扁平構造部に対して略垂直に設けられた変位可能な接続リブを更に有するようにしても良い。更に、支柱部は、断面が多角形であり、接続部は、支柱部の基端部の頂点位置と扁平構造部とを接続するようにしても良い。更にまた、支柱部は、断面が八角形であり、支柱部の基端部の八つの頂点位置のうち、周方向に一つ置きの四つの頂点位置を、平面形状を矩形とした開口部の対角線上に位置させて、基端部が開口部内に配置されるようにしても良い。
【発明の効果】
【００１４】
本発明の貯水空間形成ブロックによれば、以下のような優れた効果を発揮する。
【００１５】
（１）本発明の貯水空間形成ブロックは、開口部を有する扁平構造部と、内部が中空で基端側が開口され、基端部が扁平構造部の開口部内に配置された支柱部と、支柱部の基端部と扁平構造部とを接続する複数の接続部とを備え、接続部は、変位可能な湾曲部及び／又は変位可能なリブを有している。すなわち、本発明の貯水空間形成ブロックは、支柱部が、扁平構造部に直接的に設けられているのではなく、変位可能な接続部を介して扁平構造部に連結して設けられている。従って、本発明の貯水空間形成ブロックは、扁平構造部に土圧等による水平方向の荷重が作用しても、接続部が水平方向に変位することで、水平方向の荷重を緩和することが出来る。よって、本発明の貯水空間形成ブロックは、支柱部の基端側の開口が変形することを抑制することが出来、従来の貯水空間形成ブロックよりも、支柱部が座屈することを防止することが出来る。
【００１６】
（２）本発明の貯水空間形成ブロックは、支柱部の断面が多角形であり、接続部が支柱部の基端部の頂点位置と扁平構造部とを接続するような構成を有するので、扁平構造部から支柱部に作用する土圧等による水平方向の荷重を、支柱部の頂点位置で受けさせることが出来て、支柱部の剛性を高めることが出来る。すなわち、支柱部の各屈曲個所の頂点部分は、各頂点間の平板部に比して水平方向の荷重に対する強度は高くなっているので、例えば、地震発生時に扁平構造部から支柱部に土圧等による水平方向の荷重が作用しても、支柱部は強度が高い部分で受けることから、損傷のおそれが少なく、長寿令化が図れると共に、耐震性を向上させることが出来る。 
【００１７】
（３）上記（２）の構成により、鉛直方向からの荷重が地下貯水槽に作用して、貯水空間形成ブロックの支柱部に荷重が作用しても、支柱部は、水平断面の外形が多角形であるため、座屈に対する強度が高く、荷重にも十分に耐え得られるものとすることが出来る。
【００１８】
（４）本発明の貯水空間形成ブロックは、上記構成において、支柱部の断面が八角形であり、支柱部の基端部の八つの頂点位置のうち、周方向に一つ置きの四つの頂点位置を、平面形状を矩形とした開口部の対角線上に位置させて、基端部が開口部内に配置されるような構成を有するので、支柱部の周方向に形成される八つの屈曲個所の頂点位置のうち、周方向に一つ置きの四つの頂点位置を、平面形状を矩形とした扁平構造部の開口部の対角位置に合わせて、支柱部を扁平構造部の開口部内に配置して、対角線に配置した接続部で四つの頂点部分と開口部のコーナ部との間で接続することが出来、支柱部周壁の残り四つの頂点部分と開口部の各辺の中間位置とを、別の接続部で接続することにより、例えば、地震発生時に扁平構造部から支柱部に作用する土圧等による水平方向の荷重を、強度が高い頂点位置で堅固に受けることが出来、一方、別の接続部を取り外して、対角線位置となる四個所の接続部だけで接続した構成とすることにより、水平方向の荷重を支柱部に作用させる度合いを少なくすることが出来る。
【図面の簡単な説明】
【００１９】
【図１】本発明の貯水空間形成ブロックの実施の一形態を示した概略斜視図である。
【図２】図１の貯水空間形成ブロックにおける一つの支柱部とその周辺を拡大して示したものであり、（Ａ）は平面図であり、（Ｂ）は、（Ａ）のＡ−Ａ方向の断面図である。
【図３】図１の貯水空間形成ブロックにおける一つの支柱部とその周辺を拡大して示した下面図である。
【図４】接続部を拡大して示した要部斜視図である。
【図５】（Ａ）〜（Ｃ）は、図１の貯水空間形成ブロックにおける湾曲部の変形例を示した断面図である。
【図６】図１の貯水空間形成ブロックの変形例における一つの支柱部とその周辺を拡大して示したものであり、（Ａ）は平面図であり、（Ｂ）は、（Ａ）のＡ−Ａ方向の断面図である。
【図７】図１の貯水空間形成ブロックの他の変形例における一つの支柱部とその周辺を拡大して示したものであり、（Ａ）は平面図であり、（Ｂ）は、（Ａ）のＡ−Ａ方向の断面図である。
【図８】地下貯水槽の概要を示した断面側面図である。
【図９】従来の貯水空間形成ブロックの一例を示したものであり、（Ａ）は平面図であり、（Ｂ）は、側面図である。
【図１０】従来の貯水空間形成ブロックにおける水平方向の荷重を受けた際の支柱部の開口の様子を示した断面図である。
【発明を実施するための形態】
【００２０】
以下、本発明を実施するための形態を図面を参照して説明する。
【００２１】
図１、図２(Ａ)及び図２（Ｂ）は、本発明の貯水空間形成ブロックの実施の一形態を示すものである。
【００２２】
本発明の貯水空間形成ブロック１６は、水平面内で互いに直交する二方向に延びるリブ１８ａとリブ１８ｂを縦横に組み合わせて、支柱部配置用開口部としての格子目１９が形成された格子構造を有する扁平構造部１７と、多角形としての八角形で、軸心方向に延びて先端部となる上端部を截った截頭多角錐形状であって中空構造の支柱部２０とを備え、扁平構造部１７の格子目１９の内側に、支柱部２０の大径となる基端部（下端部）を配置して、支柱部２０の多角形の各頂点と格子目１９の周縁を形成しているリブ１８ａ，１８ｂとの間に、接続部２１，２１ａを放射方向に配置して一体成形して一体化し、支柱部２０の多角形の各頂点と扁平構造部１７の格子目１９のリブ１８ａ，１８ｂとを接続部２１，２１ａを介して固定した構成とする。そして、本発明の貯水空間形成ブロック１６は、扁平構造部１７、各支柱部２０、及び各接続部２１，２１ａを、樹脂により一体成形してなる。
【００２３】
詳述すると、扁平構造部１７は、平面形状を矩形として、図１に示すように、その矩形の各辺に沿う外周部位置に、上下方向に或る高さ寸法を有し且つ或る厚み寸法を有する二本ずつのリブ１８ａとリブ１８ｂを、或る間隔で平行に配置すると共に、矩形の二組の対辺の中間部同士を結ぶ位置に、或る間隔で平行に配置した三本ずつのリブ１８ａとリブ１８ｂを備え、各リブ１８ａとリブ１８ｂを同一平面内で縦横に組み合わせて一体にした構成を有する。この構成により、矩形の各コーナの内側となる四個所に、リブ１８ａとリブ１８ｂによって囲まれた矩形の格子目１９が、支柱部２０の大径となる下端部の外径よりも大きいサイズとして形成されている。更に、各格子目１９の各辺の中間位置の外側面にも、縦方向と横方向の短いリブ１８ａとリブ１８ｂを直角方向に一体に組み合わせて設けている。なお、２２は、扁平構造部１７の格子目１９以外の区画に設けてある、水を通過させるための透口である。
【００２４】
また、支柱部２０は、筒状であって、その水平断面の外形を、一例として、多角形状としての八角形状に設けられている。これにより、周壁の周方向等間隔個所に屈曲個所（折り目）を設けることで、円筒に比して座屈に対する強度を高めることが出来る。更には、支柱部２０を、水平面内で周方向を八分した各方位より作用する外力に対して均等な剛性を有するものとすることが出来ることから、支柱部２０を、支柱部２０を中心として扁平構造部１７の各リブ１８ａ，１８ｂが延びる方向となる四方はもとより、周方向のいかなる方位より作用する外力に対しても、ほぼ均等な剛性を有するものとすることが出来る。
【００２５】
更に、筒状の支柱部２０は、下端部（基端部）より上端部（先端部）に向けて徐々に平面形状が小さくなる角錐台形状とすると共に、基端側の開口２３が、支柱部２０の先端部の外径寸法よりも大きくなるようにして、一つの貯水空間形成ブロック１６の各支柱部２０の内側に、その基端側の開口２３を通して、別の貯水空間形成ブロック１６の各支柱部２０における扁平構造部１７の上端より上方へ突出する部分を収容することが出来る。これにより、本発明の貯水空間形成ブロック１６は、各支柱部２０の突出する向きを同じ方向に揃えた状態で複数個スタックすることが出来る。よって、使用前の貯水空間形成ブロック１６をスタックすることで、その保管や運搬に要するスペースを小さくすることが出来る。
【００２６】
各支柱部２０の先端部は、天板２４で閉塞されている。更に、各支柱部２０の天板２４には、図１及び図２（Ａ）に示すように、扁平構造部１７の平面形状である矩形の中央を中心とする同心円上で、且つ矩形の対角線を中心軸とする対称位置に、上向きに突出する係合用突部２５と、係合用突部２５を挿入するための係合穴２６がそれぞれ設けてある。これにより、支柱部２０を上向きとした通常姿勢の貯水空間形成ブロック１６の上側に、上下を反転させた姿勢の別の貯水空間形成ブロック１６を配置して、上下方向に対向配置される双方の支柱部２０の先端同士を突き合わせるときに、一方の係合用突部２５を他方の係合穴２６に挿入させると共に、他方の係合用突部２５を一方の係合穴２６に挿入させることが出来、よって、上下に突き合せた支柱部２０の先端部同士を、水平方向への相対変位を拘束した状態で繋ぐことが出来る。
【００２７】
また、支柱部２０の内壁面の先端側には、図３に示すように、支柱部２０の剛性を高めるために、第一増肉部２０ａと第二増肉部２０ｂとが設けられている。例えば、第一増肉部２０ａは、第一厚さで、支柱部２０の先端部の八角形の頂点に設けられている。なお、第一増肉部２０ａは、八つの頂点に設けるようにしても良く、その内の幾つかに設けるようにしても良い。ここでは、第一増肉部２０ａは、五つの頂点に設けられている。第二増肉部２０ｂは、第一厚さと同じ厚さ又は異なる第二厚さで、支柱部２０の先端部の第一増肉部２０ａ間に設けられている。また、支柱部２０の天板２４の裏面には、図３に示すように、支柱部２０の剛性を高めるために、十字状のリブ２０ｃが設けられている。
【００２８】
また、支柱部２０は、基端部の外壁面における八角形の外形の八つの頂点のうち、一つ置きとなる四つの頂点が、扁平構造部１７に設けた矩形の格子目１９の対角線上に位置させて格子目１９の中央に配置するようにして、その他の四つの頂点が、格子目１９の各辺のリブ１８ａ，１８ｂの各中間位置の外側面に設けてある短いリブ１８ｂとリブ１８ａに対応する位置に配置される。この状態で矩形の格子目１９の対角線上に位置する四つの頂点と格子目１９の対角線に沿う四個所のリブ１８ａ，１８ｂとの間に、幅寸法の広い接続部２１を個別に配置すると共に、残りの四つの頂点と格子目１９の各辺の中間位置で且つ外側面に直角方向に設けられている短いリブ１８ａ，１８ｂの位置との間に、幅寸法の小さい接続部２１ａを個別に配置する。
【００２９】
次に、各接続部２１の外側端部は、格子目１９の各コーナ部を形成しているリブ１８ａ及びリブ１８ｂにそれぞれ一体に接続すると共に、各接続部２１の内側端部は、支柱部２０の基端部の四つの頂点にそれぞれ一体に接続する。同様に、各接続部２１ａの外側端部は、格子目１９の各辺のリブ１８ａの中間位置と、リブ１８ｂの中間位置に、それぞれ一体に接続すると共に、接続部２１ａの内側端部は、支柱部２０の基端部の残りの四つの頂点にそれぞれ一体に接続し、各接続部２１，２１ａが支柱部２０の軸心から放射方向に配設されている。これにより、支柱部２０における接続部２１，２１ａとの取り合い部分を、支柱部２０の基端部の外壁面における八角形の外形の各頂点、すなわち、周壁の屈曲個所（折り目）とすることが出来るため、支柱部２０の接続部２１，２１ａとの取り合い部分の剛性を高めることが出来、扁平構造部１７から接続部２１，２１ａを介して支柱部２０に水平力が作用したときも、支柱部２０への接続部２１，２１ａの接続部の強度が高く、損傷するおそれを未然に防止することが可能となる。
【００３０】
更に、接続部２１は、図２（Ａ）及び図４に示すように、湾曲部２７を有する接続扁平部２８と、湾曲部２７及び接続扁平部２８上に一体に設けられた接続リブ２９とを有している。接続扁平部２８は、扁平な面であり、中途部に、例えば、上下方向の何れかの方向に湾曲された湾曲部２７が設けられている。ここでは、湾曲部２７は、例えば、上方向に湾曲されて、略逆Ｕ字状に設けられている。接続リブ２９は、上下方向に或る高さ寸法を有し且つ或る厚み寸法を有し、湾曲部２７及び接続扁平部２８に対して略垂直に、湾曲部２７及び接続扁平部２８上に一体に設けられている。ここでは、接続リブ２９は、例えば、上下方向にリブ１８ａ，１８ｂと略同じ高さ寸法で同じ厚みを有するように設けられている。
【００３１】
更に、接続部２１ａは、図２（Ａ）及び図２（Ｂ）に示すように、湾曲部２７と、湾曲部２７上に一体に設けられた接続リブ２９とを有している。湾曲部２７は、接続部２１と同様に、例えば、上下方向の何れかの方向に湾曲されて、設けられている。ここでは、湾曲部２７は、例えば、上方向に湾曲されて、略逆Ｕ字状に設けられている。接続リブ２９は、接続部２１と同様に、上下方向に或る高さ寸法を有し且つ或る厚み寸法を有し、湾曲部２７に対して略垂直に、湾曲部２７上に一体に設けられている。ここでは、接続リブ２９は、例えば、上下方向にリブ１８ａ，１８ｂと略同じ高さ寸法で同じ厚みを有するように設けられている。
【００３２】
すなわち、本発明の貯水空間形成ブロック１６では、支柱部２０が、扁平構造部１７に直接的に設けられているのではなく、湾曲可能な接続部２１，２１ａを介して扁平構造部１７に連結して設けられている。従って、接続部２１，２１ａは、例えば、扁平構造部１７に土圧等による水平方向の荷重が作用すると、湾曲部２７が水平方向に変位するとともに、接続リブ２９が水平方向に変位することで、水平方向の荷重を緩衝する。よって、接続部２１，２１ａは、支柱部２０の開口２３が変形することを抑制することが出来、従来の貯水空間形成ブロック３よりも、支柱部２０が座屈することを防止することが出来る。
【００３３】
また、接続部２１，２１ａは、接続リブ２９の外側端部がリブ１８ａ，１８ｂに一体に接続され、接続リブ２９の内側端部が支柱部２０の側面に一体に接続されているので、土圧等による水平方向の荷重が、支柱部２０の基端部に集中することなく、支柱部２０の側面の広範囲に伝わる。従って、接続部２１，２１ａは、支柱部２０の開口２３が変形することを抑制することが出来、従来の貯水空間形成ブロック３よりも、支柱部２０が座屈することを防止することが出来る。更に、接続部２１，２１ａは、接続リブ２９が湾曲部２７に対して略垂直に湾曲部２７上に一体に設けられているので、湾曲部２７の可撓性を維持したまま、接続リブ２９が破損等しないように、補強することが出来、長寿命化を図ることが出来る。
【００３４】
なお、接続部２１ａは、接続部２１と同様に、湾曲部２７を有する接続扁平部２８と、湾曲部２７及び接続扁平部２８上に一体に設けられた接続リブ２９とで構成されるようにしても良い。また、接続部２１は、接続部２１ａと同様に、接続扁平部２８を設けずに、湾曲部２７と、湾曲部２７上に一体に設けられた接続リブ２９とで構成されるようにしても良い。更に、接続リブ２９は、例えば、リブ１８ａ，１８ｂよりも厚みをやや薄く設けて、より容易に変位可能に設けるようにしても良い。
【００３５】
以上のように、本発明の貯水空間形成ブロック１６は、上記のような構成を有するので、本発明の貯水空間形成ブロック１６により図８に示すような地下貯水槽１００を構築した状態において、例えば、地震発生時に、その周囲に存在する土砂より作用する土圧により扁平構造部１７が水平方向の荷重を受けると、この水平方向の荷重は、接続部２１，２１ａを介して支柱部２０に伝えられることになる。
【００３６】
この際、本発明の貯水空間形成ブロック１６は、接続部２１，２１ａの湾曲部２７及び接続リブ２９が水平方向に変位することで、水平方向の荷重を緩衝し、支柱部２０の開口２３が変形することを抑制することが出来る。従って、本発明の貯水空間形成ブロック１６は、従来の貯水空間形成ブロック３よりも、支柱部２０が座屈することを防止することが出来る。
【００３７】
また、本発明の貯水空間形成ブロック１６は、接続部２１，２１ａの接続リブ２９によって、土圧等による水平方向の荷重を、支柱部２０の基端部に集中させることなく、支柱部２０の側面の広範囲に伝えることが出来る。従って、本発明の貯水空間形成ブロック１６は、支柱部２０の開口２３が変形することを抑制することが出来、従来の貯水空間形成ブロック３よりも、支柱部２０が座屈することを防止することが出来る。更に、本発明の貯水空間形成ブロック１６は、接続リブ２９が湾曲部２７に対して略垂直に湾曲部２７上に一体に設けられているので、湾曲部２７の可撓性を維持したまま、接続リブ２９が破損等しないように、補強することが出来、長寿命化を図ることが出来る。
【００３８】
また、本発明の貯水空間形成ブロック１６は、各接続部２１，２１ａの内側端部が八角形の支柱部２０の八つの頂点に取り付けられて接続されているので、支柱部２０への接続部２１，２１ａの取り合い部分の剛性を高くすることが出来、扁平構造部１７が受けた土圧等による水平方向の荷重を支柱部２０で堅固に受けることが出来る。
【００３９】
更に、図８に示すような地下貯水槽１００に対して天板５の上方より作用する垂直方向の荷重、すなわち、地下貯水槽１００の構築後に埋め戻した部分に存在する土や、地下貯水槽１００の真上の地面に配置された物体の鉛直方向の荷重を受ける支柱部２０は、截頭八角錐形状として、周壁の周方向に八つの頂点、すなわち、屈曲部が均等に形成されていることから、鉛直方向の荷重を受けたときの座屈に対する強度を円筒に比して高めることが出来る。
【００４０】
これにより、支柱部２０自体の剛性を高めることが出来る。
【００４１】
なお、本発明の貯水空間形成ブロック１６は、接続部２１，２１ａの湾曲部２７を、略逆Ｕ字状に設けることに限定されるものではなく、扁平構造部１７に土圧等による水平方向の荷重が作用した際に湾曲部２７が水平方向に変位することが出来るものであれば如何なる形状であっても良く、図５（Ａ）に示すように、略逆Ｖ字状に設けるようにしても良く、図５（Ｂ）に示すように、略逆Ｗ字状に設けるようにしても良く、図５（Ｃ）に示すように、クランク状に設けるようにしても良い。
【００４２】
また、本発明の貯水空間形成ブロック１６は、図６（Ａ）及び図６（Ｂ）に示すように、接続部２１，２１ａを、接続リブ２９だけで構成するようにしても良い。このような貯水空間形成ブロック１６であっても、扁平構造部１７に土圧等による水平方向の荷重が作用すると、接続リブ２９が水平方向に変位することで、水平方向の荷重を緩衝することが出来る。従って、このような貯水空間形成ブロック１６であっても、接続部２１，２１ａによって、支柱部２０の開口２３が変形することを抑制することが出来、従来の貯水空間形成ブロック３よりも、支柱部２０が座屈することを防止することが出来る。
【００４３】
更に、本発明の貯水空間形成ブロック１６は、図７（Ａ）及び図７（Ｂ）に示すように、接続部２１，２１ａを、湾曲部２７を有する接続扁平部２８、或いは、湾曲部２７だけで構成するようにしても良い。このような貯水空間形成ブロック１６であっても、扁平構造部１７に土圧等による水平方向の荷重が作用すると、湾曲部２７が水平方向に変位することで、水平方向の荷重を緩衝することが出来る。従って、このような貯水空間形成ブロック１６であっても、接続部２１，２１ａによって、支柱部２０の開口２３が変形することを抑制することが出来、従来の貯水空間形成ブロック３よりも、支柱部２０が座屈することを防止することが出来る。
【００４４】
また、図１、図２（Ａ）及び図２（Ｂ）に示す本発明の貯水空間形成ブロック１６は、扁平構造部１７に形成された格子目１９の内側に、多角形として八角形とした支柱部２０の大径とした基端部を配置し、支柱部２０の八つの頂点に接続部２１，２１ａの内側端部をそれぞれ一体的に接続した場合について説明したが、例えば、格子目１９の対角線上の四個所にのみ接続部２１を配置して、各接続部２１の外側端部を、格子目１９の各コーナ部のリブ１８ａ及びリブ１８ｂにそれぞれ接続すると共に、各接続部２１の内側端部を支柱部２０の周壁の八つの頂点のうち、一つ置きの頂点にそれぞれ接続した構成とすることが出来る。
【００４５】
このような構成とした場合は、図２（Ａ）において、四個所の接続部２１ａがなく、格子目１９の各辺のリブ１８ａ，１８ｂの中間位置から、リブ１８ａ，１８ｂの中間位置に対向する支柱部２０の四つの頂点に、土圧等による水平方向の荷重が伝わることがなくなる。これにより、扁平構造部１７から支柱部２０に作用する水平方向の荷重を軽減することが可能となり、水平方向の荷重を支柱部２０に伝え難くすることが出来る。
【００４６】
また、本発明の貯水空間形成ブロック１６は、上記実施の形態にのみ限定されるものではなく、例えば、図２（Ａ）に示す接続部２１，２１ａは、リブ１８ａ，１８ｂと同じ厚みとした場合を示しているが、これは例示であり、これに限定されるものではない。又、支柱部２０は、截頭多角錐体として、截頭八角錐体を例示したが、格子目１９内のコーナ部に周壁の頂点が対向するものであれば、水平断面の外形が八角形以外のものでも良いこと、支柱部２０は、角錐台形状とすることが望ましいが、基端部から先端部までの断面寸法が同一となる形状のものとしても良い。
【００４７】
その他本発明の要旨を逸脱しない範囲内で種々変更を加え得ることは勿論である。
【符号の説明】
【００４８】
１  地面、２  凹部、３  貯水空間形成ブロック、４  壁、５  天板、６  シート材、７  基盤部、８  縁部、９ａ  リブ、９ｂ  リブ、１０  透口、１１  突出部、１６  貯水空間形成ブロック、１７  扁平構造部、１８ａ  リブ、１８ｂ  リブ、１９  格子目（支柱部配置用開口部）、２０  支柱部、２０ａ  第一増肉部、２０ｂ  第二増肉部、２０ｃ  十字リブ、２１  接続部、２１ａ  接続部、２３  開口、２４  天板、２５  係合用突部、２６  係合穴、２７  湾曲部、２８  接続扁平部、２９  接続リブ、１００  地下貯水槽
【図１】
0005946678.tif 000002
【図２】
0005946678.tif 000003
【図３】
0005946678.tif 000004
【図４】
0005946678.tif 000005
【図５】
0005946678.tif 000006
【図６】
0005946678.tif 000007
【図７】
0005946678.tif 000008
【図８】
0005946678.tif 000009
【図９】
0005946678.tif 000010
【図１０】
0005946678.tif 000011